(57)【要約】【課題】  好みのインテリア商品と利用者が所有しているインテリア画像とを合成した画像を確認することができる技術を提供すること。【解決手段】  インテリア販売情報ＤＢ８およびインテリア個人情報ＤＢ９およびインテリアソフトウェア１０を有するサーバシステム７、インテリアメーカＤＢ１３、小売店舗の小売店ＤＢ１５、インテリアデザイン事業者或いはインテリアコーディネータのＤＢ１７と、利用者が所有しているインテリア情報をインテリアメーカＤＢ１３或いはインテリア個人情報ＤＢ９にアップロードし、外出先から利用者が所有するインテリア画像と小売店舗にある商品のインテリア画像を取得し、インテリアソフトウェア１０によって合成したコーディネート画像を取得する利用者端末とからなる。【選択図】      図２
2005202797.tif 000002
【特許請求の範囲】
【請求項１】
サービス提供事業者のインテリア販売情報ＤＢおよびインテリア個人情報ＤＢおよびインテリアソフトウェアを有するサーバシステムと、インテリアメーカのインテリア商品のメタデータおよび対応するインテリア画像を格納するインテリアメーカＤＢと、利用者の保持する利用者端末を用いるインテリアコーディネートサービス方法であって、
前記利用者端末から、利用者が所有しているインテリア情報を、前記インテリアメーカＤＢ或いは前記インテリア個人情報ＤＢにアップロードするステップと、
前記利用者端末により外出先から前記インテリア個人情報ＤＢにアクセスし、当該利用者が所有するインテリア画像を取得するステップと、
前記インテリアメーカＤＢ或いは前記インテリア販売情報ＤＢから前記小売店舗にある商品のインテリア画像を取得するステップと、
前記インテリアソフトウェアで、前記利用者が所有するインテリア画像と前記小売店舗にある商品のインテリア画像とを合成したコーディネート画像を生成し、前記インテリア個人情報ＤＢに格納するステップと、
前記利用者端末から前記インテリア個人情報ＤＢへアクセスし、前記生成したコーディネート画像を取得するステップと
を有することを特徴とするインテリアコーディネートサービス方法。
【請求項２】
請求項１記載のインテリアコーディネートサービス方法において、さらに、
前記インテリアメーカ或いは前記小売店舗の装置によってインテリア画像にメタデータを付加するステップと、
前記利用者端末からの該メタデータに基づくキーワード検索により、該当するインテリア画像を検索するステップを有することを特徴とするインテリアコーディネートサービス方法。
【請求項３】
請求項１または２記載のインテリアコーディネートサービス方法において、さらに、
デジタルカメラ或いはデジタル映像機器で撮影された前記インテリアメーカ或いは前記小売店舗のＤＢに保存されていないインテリア商品の画像を、前記利用者端末で前記インテリアメーカＤＢ或いは前記インテリア販売情報ＤＢにアップロードするステップを有することを特徴とするインテリアコーディネートサービス方法。
【請求項４】
請求項１から３のいずれか１項に記載のモバイルコーディネートサービス方法において、さらに、
外出先の小売店舗でインテリア商品の値札に添付してあるＩＤ番号を前記利用者端末から前記インテリア個人情報ＤＢにアップロードするステップと、前記インテリアソフトウェアが前記ＩＤ番号から該当する該小売店舗を判別し、該小売店舗のＤＢからインテリア画像を検索し収集するステップとを有することを特徴とするインテリアコーディネートサービス方法。
【請求項５】
請求項１から４のいずれか１項に記載のモバイルコーディネートサービス方法において、さらに、
外出先でインテリア商品の値札に添付してあるＩＣタグを前記利用者端末から前記インテリア個人情報ＤＢにアップロードするステップと、前記インテリアソフトウェアが前記ＩＣタグを利用することによりインテリア画像を検索し収集するステップを有することを特徴とするインテリアコーディネートサービス方法。
【請求項６】
請求項１から５のいずれか１項に記載のモバイルコーディネートサービス方法において、さらに、
インテリアデザイン事業者或いはインテリアコーディネータの装置からのアクセスにより、利用者のインテリアレイアウト画像からインテリアコーディネートするステップと、前記インテリア個人情報ＤＢから許可した該利用者のみのインテリア個人情報を閲覧するステップと、コーディネートするインテリア情報を前記インテリア販売情報ＤＢ或いは前記インテリア個人情報ＤＢからメタデータで検索し入手するステップと、インテリアコーディネート画像と見積価格を前記インテリア個人情報ＤＢに入力するステップと、前記インテリア個人情報ＤＢからインテリアコーディネートの全体画像と見積価格を前記利用者端末が取得するステップと有することを特徴とするインテリアコーディネートサービス方法。
【請求項７】
請求項１から６のいずれか１項に記載のインテリアコーディネートサービス方法であって、さらに、
前記インテリアメーカ或いは前記小売店舗の装置から、最新トレンドによるインテリア情報のコーディネート事例を前記サーバシステムにアップロードして前記利用者端末に閲覧可能にするステップを有することを特徴とするインテリアコーディネートサービス方法。
【請求項８】
サービス提供事業者のインテリア販売情報ＤＢおよびインテリア個人情報ＤＢおよびインテリアソフトウェアを有するサーバシステムと、
インテリアメーカのインテリア商品のメタデータおよび対応するインテリア画像を格納するインテリアメーカＤＢと、
小売店舗の小売店ＤＢと、インテリアデザイン事業者或いはインテリアコーディネータのＤＢと、
利用者が所有しているインテリア情報を前記インテリアメーカＤＢ或いは前記インテリア個人情報ＤＢにアップロードし、外出先から前記インテリア個人情報ＤＢにアクセスして当該利用者が所有するインテリア画像を取得し、前記インテリアメーカＤＢ或いは前記インテリア販売情報ＤＢから前記小売店舗にある商品のインテリア画像を取得し、かつ前記インテリアソフトウェアによって合成された前記利用者が所有するインテリア画像と前記小売店舗にある商品のインテリア画像とのコーディネート画像を取得する携帯情報通信端末或いは情報通信端末を含む利用者端末と
を有することを特徴とするインテリアコーディネートサービスシステム。
【請求項９】
請求項８記載のインテリアコーディネートサービスシステムにおいてサーバシステムのコンピュータで実行するインテリアソフトウェアであって、
サーバシステムのコンピュータで実行させることにより、前記インテリア個人情報ＤＢと前記インテリア販売情報ＤＢのインテリア画像をメタデータに基づいて検索する機能と、インテリア商品の値札に添付してあるＩＤ番号に基づいて検索する機能と、該検索により収集したインテリア画像と利用者が所有するインテリア画像を合成しインテリアコーディネート画像を得る機能と、インテリアの画像を受信端末の受信能力に応じて解像度を最適化して送信する機能と、前記インテリアメーカが保持するインテリア画像或いは利用者が撮影したインテリア画像の特徴を認識し、視覚的記述子を自動検出しメタデータを作成する機能とを前記サーバシステムのコンピュータで実現させることを特徴とするインテリアソフトウェア。
【発明の詳細な説明】
【技術分野】
【０００１】
本発明は、携帯情報通信端末或いは情報通信端末等の利用者端末で外出先或いは利用者宅から利用者が所有するインテリアと新たに購入するインテリアとのコーディネート（合成）を行って利用者にサービスするインテリアコーディネートサービス技術に関する。
【背景技術】
【０００２】
ネットワークを利用して部屋のインテリアのコーディネートを支援するシステムは、従来からいくつか提案されている。
【０００３】
例えば、特開２００２−３５１９３３号公報「インテリアコーディネートシステム、インテリアコーディネート方法、インテリアコーディネートプログラム、及び不動産販売方法」（特許文献１）に開示されたインテリアコーディネートシステムは、間取りＤＢ（Ｄａｔａ Ｂａｓｅ）、インテリアエレメント情報ＤＢ、インテリアエレメント情報分類部、顧客インテリア情報ＤＢ、プレゼンテーションシートを作成するインテリアデザイン部等を備えているシステムであり、低コストで居住性の良いインテリアコーディネートシステムを提供するものである。
【０００４】
また、特開２００１−３４４２９３号公報「コンピュータ双方向通信によるインテリアデザインとコーディネートの提供取得方法及びその通信システム並びにプログラム」（特許文献２）に開示された方法は、依頼者が携帯電話または小型汎用コンピュータ装置で運営サイト通信システムにインテリアデザインおよびコーディネートを依頼し、運営者側が質問して依頼者がその質問に回答をするものである。また、運営者側が依頼者側の質問の回答に基づいたインテリアデザインおよびコーディネートに関する個性判断をし、利用者側の要求を転送し、要求に対応した立体的画像を含むコーディネーション提示を行う方法である。
【０００５】
【特許文献１】特開２００２−３５１９３３号公報（特許文献１）
【特許文献２】特開２００１−３４４２９３号公報（特許文献２）
【発明の開示】
【発明が解決しようとする課題】
【０００６】
上記従来技術は、利用者が大幅に室内等を改造し、高額なリフォームを行う様な場合には効果的であるが、余り金額をかけないで一部の室内のインテリアレイアウトを改良或いはインテリア購入をするなどといった、気軽にレイアウトして楽しむ用途には不向きであった。
【０００７】
また、外出先等で好みのインテリアを見つけ、利用者が所有しているインテリアの寸法或いは形状等インテリア情報の把握できないことと、小売店舗にあるインテリア販売商品の在庫情報をキーワード検索により収集し、インテリアレイアウトをすることはできなかった。またインテリアメーカや小売店舗の販売をトータル的に支援をするシステムもなかった。
【０００８】
そこで、本発明は、余り金額をかけないで気軽にレイアウトして楽しむことが可能で、かつ、外出先等で好みのインテリア商品を見つけた場合に、それと利用者が所有しているインテリア画像とを合成したインテリアレイアウト画像（コーディネート画像）を確認することができ、またインテリアメーカや小売店舗の販売をトータル的に支援をすることが可能なインテリアコーディネートサービス方法およびインテリアコーディネートサービスシステムならびに該システムを実現するためのインテリアソフトウェアを提供することを目的とする。
【課題を解決するための手段】
【０００９】
本発明は、上記目的を達成するために、次のような構成を採用した。
（１）サービス提供事業者のインテリア販売情報ＤＢおよびインテリア個人情報ＤＢおよびインテリアソフトウェアを有するサーバシステムと、インテリアメーカのインテリア商品のメタデータおよび対応するインテリア画像を格納するインテリアメーカＤＢと、利用者が保持する利用者端末を用いるインテリアコーディネートサービス方法であって、利用者端末から、利用者が所有しているインテリア情報を、前記インテリアメーカＤＢ或いは前記インテリア個人情報ＤＢにアップロードするステップと、利用者端末により外出先から前記インテリア個人情報ＤＢにアクセスし、当該利用者が所有するインテリア画像を取得するステップと、インテリアメーカＤＢ或いはインテリア販売情報ＤＢから小売店舗にある商品のインテリア画像を取得するステップと、インテリアソフトウェアで、利用者が所有するインテリア画像と小売店舗にある商品のインテリア画像とを合成したコーディネート画像を生成し、インテリア個人情報ＤＢに格納するステップと、利用者端末からインテリア個人情報ＤＢへアクセスし、生成したコーディネート画像を取得するステップとを有することを特徴としている。
【００１０】
（２）さらに、インテリアメーカ或いは小売店舗の装置によってインテリア画像にメタデータを付加するステップと、利用者端末からの該メタデータに基づくキーワード検索により、該当するインテリア画像を検索するステップを有することを特徴としている。
【００１１】
（３）さらに、デジタルカメラ或いはデジタル映像機器で撮影されたインテリアメーカ或いは小売店舗のＤＢに保存されていないインテリア商品の画像を、利用者端末でインテリアメーカＤＢ或いはインテリア販売情報ＤＢにアップロードするステップを有することを特徴としている。
【００１２】
（４）さらに、外出先の小売店舗でインテリア商品の値札に添付してあるＩＤ番号を利用者端末からインテリア個人情報ＤＢにアップロードするステップと、インテリアソフトウェアがＩＤ番号から該当する該小売店舗を判別し、該小売店舗のＤＢからインテリア画像を検索し収集するステップとを有することを特徴としている。
【００１３】
（５）さらに、外出先でインテリア商品の値札に添付してあるＩＣタグを利用者端末からインテリア個人情報ＤＢにアップロードするステップと、ＩＣタグを利用することによりインテリア画像を検索し収集するステップを有することを特徴としている。
【００１４】
（６）さらに、インテリアデザイン事業者或いはインテリアコーディネータの装置からのアクセスにより、利用者のインテリアレイアウトからインテリアコーディネートするステップと、インテリア個人情報ＤＢから許可した該利用者のみのインテリア個人情報を閲覧するステップと、コーディネートするインテリア情報をインテリア販売情報ＤＢ或いはインテリア個人情報ＤＢからメタデータで検索し入手するステップと、インテリアコーディネート画像と見積価格をインテリアソフトウェアに入力するステップと、インテリアコーディネートの全体画像と見積価格を利用者端末で取得するステップと有することを特徴としている。
【００１５】
（７）さらに、インテリアメーカ或いは小売店舗の装置から、最新トレンドによるインテリア情報のコーディネート事例をサーバシステムにアップロードして利用者端末に閲覧可能にするステップを有することを特徴としている。
【００１６】
（８）サービス提供事業者のインテリア販売情報ＤＢおよびインテリア個人情報ＤＢおよびインテリアソフトウェアを有するサーバシステムと、インテリアメーカのインテリア商品のメタデータおよび対応するインテリア画像を格納するインテリアメーカＤＢと、小売店舗の小売店ＤＢと、インテリアデザイン事業者或いはインテリアコーディネータのＤＢと、利用者が所有しているインテリア情報をインテリアメーカＤＢ或いはインテリア個人情報ＤＢにアップロードし、外出先からインテリア個人情報ＤＢにアクセスして当該利用者が所有するインテリア画像を取得し、インテリアメーカＤＢ或いはインテリア販売情報ＤＢから小売店舗にある商品のインテリア画像を取得し、かつインテリアソフトウェアによって合成された利用者が所有するインテリア画像と小売店舗にある商品のインテリア画像とのコーディネート画像を取得する利用者端末（携帯情報通信端末或いは情報通信端末を含む）とを有することを特徴としている。
【００１７】
（９）上記インテリアコーディネートサービスシステムにおけるサーバシステムのコンピュータで実行するインテリアソフトウェアであって、サーバシステムのコンピュータで実行させることにより、インテリア個人情報ＤＢとインテリア販売情報ＤＢのインテリア画像をメタデータに基づいて検索する機能と、インテリア商品の値札に添付してあるＩＤ番号に基づいて検索する機能と、該検索により収集したインテリア画像と利用者が所有するインテリア画像をインテリア３次元ＣＡＤソフトウェアによって合成してインテリアコーディネート画像を生成する機能と、該インテリアの画像を受信端末の受信能力に応じて解像度を最適化し送信する機能と、インテリアメーカが保持するインテリア画像或いは利用者が撮影したインテリア画像の特徴を認識し、視覚的記述子を自動検出しメタデータを作成する機能とをサーバシステムのコンピュータで実現させることを特徴としている。
【発明の効果】
【００１８】
本発明は、次のような効果を有している。
（１）利用者は、外出先等でインテリア商品を購入時に、利用者端末（即ち携帯情報通信端末或いは情報通信端末）からサービス提供事業者のインテリア個人情報ＤＢにアクセスし、利用者所有のインテリア情報を取得して閲覧でき、且つ、メタデータに基づくキーワード検索により、メタデータをインテリアソフトにアクセスし、該インテリアソフトが入力キーワードに該当するインテリアメーカ或いは小売店舗のインテリア画像データを検索し、また好みのインテリア商品を外出先で見つけ、利用者所有のインテリアの画像とインテリアレイアウト画像とコーディネート画像および見積を閲覧することが可能となり、利用者の利便性向上が図れる。
【００１９】
（２）小売店舗は、インテリア販売情報ＤＢに販売する商品在庫リストを登録することにより、これをアクセスした利用者の購入を促進し、また新規顧客の開拓を図ることが可能であり、売り上げ増加に反映できる。また情報収集により顧客の趣味嗜好に合わせた広告或いは商品紹介をすることが可能である。
【００２０】
（３）インテリアメーカの売り上げ増加に貢献をする。
（４）インテリアデザイン事業者或いはインテリアコーディネータは、利用者からのレイアウト画像によるコーディネート或いは利用者所有のインテリアとのコーディネート提案と見積を提供し、事業拡大を図ることができる。
【００２１】
（５）利用者は、外出先で好みの置物などのインテリア商品を見つけ、利用者宅に既存の置物等インテリアの形状、寸法の詳細、色等をインテリア個人情報ＤＢから閲覧し、好みのインテリア商品と合成したコーディネート画像を参照してインテリア商品の購入の判断ができる。
【発明を実施するための最良の形態】
【００２２】
以下、本発明の実施例を、図面を用いて詳細に説明する。
【実施例】
【００２３】
図１は、本発明に係るインテリアコーディネートサービスシステムの構成図、図２は、図１において、そのサーバシステムをより詳細に示した図、図３は、さらに本発明に係るインテリアコーディネートサービスシステムの各ＤＢ（データベース）に格納される具体的なデータの例を示した図である。
【００２４】
本発明に係るインテリアコーディネートサービスシステムは、図１〜３に示すように、サービス提供事業者６、該サービス提供事業者６のサーバ１１とインテリア販売情報ＤＢ８とインテリア個人情報ＤＢ９とインテリアソフトウェア（インテリアコーディネート用プログラム。以下、「インテリアソフト」ともいう）１０とからなるサーバシステム７、インテリアメーカ１２、該インテリアメーカ１２のＤＢ１３、小売店舗１４、該小売店舗１４が有する小売店ＤＢ１５、利用者１の携帯電話３或いはＰＤＡ４等の携帯情報通信端末５或いは情報通信端末２（これらの総称として利用者端末ともいうこともある）と、インテリアデザイン事業者或いはインテリアコーディネータのＤＢ１７と、ＩＰ網１８とを備えている。
【００２５】
利用者１は、外出先或いは利用者宅で所有しているインテリア情報をインテリアメーカ１２のＤＢ１３或いはサービス提供事業者６が所有するサーバシステム７のインテリア個人情報ＤＢ９にアップロードして閲覧することが可能である。
【００２６】
利用者１が登録するインテリア情報は、居間の場合等は居間の大きさ、壁と床とカーテンと家具と照明等の色と大きさと材質、常に購入する小物など置物の寸法と形状と色と材質等の個人の所有するインテリア情報および間取り情報であり、インテリアメーカ１２のインテリアメーカＤＢ１３或いはインテリア個人情報ＤＢ９にアップロードをする。
【００２７】
インテリアメーカ１２は、図４に示すように、予め自社のインテリア商品を拡販のため、最新トレンドのインテリア或いは販売するインテリア商品の形状（タイプ）と色とサイズ（寸法）と材質等のインテリアコンテンツのメタデータを作成し、ＤＢ１３に検索用画像データベースとして保存し（図４の（イ）参照）、さらに、対応するインテリア画像データとリンクさせておく（図４の（ロ）参照）。
【００２８】
作成したインテリアコンテンツのメタデータ（タイプ、色、サイズ、材質等の参照情報）をサービス提供事業者６のサーバシステム７のサーバ１１に送信し、インテリア販売情報ＤＢ８とインテリア個人情報ＤＢ９に登録をする。
【００２９】
インテリア商品など販売する小売店舗１４は、販売拡大のためにインテリア情報のメタデータ作成と、インテリア販売商品の在庫情報として商品、価格、仕様等インテリア販売リスト１９のデータ作成をしてＤＢ１５に保存し、サービス提供事業者６のサーバシステム７のインテリア販売情報ＤＢ８に送信し、インテリア販売リスト１９のメタデータを登録する。
【００３０】
これらメタデータは、色等は自動で抽出し、タイプやサイズ等は手入力するなどして、ＸＭＬスキーマを利用して記述され各ＤＢに登録される。
【００３１】
ＸＭＬスキーマを利用してインテリアの特徴を表現するための、簡単なメタデータ構造を以下に示す。
<interior>
<name></name>
<type></type>
<size>
<hight></hight>
<depth></depth>
<wide></wide>
</size>
<material></material>
<color></color>
<price></price>
</ interior>
【００３２】
また、メタデータには、ＣＲＩＤ（Content Referencing ＩＤ：コンテンツ参照ＩＤ）が格納される。ＣＲＩＤは、コンテンツ選択・取得の際のキーになる識別情報でＵＲＩに準拠した形式を持ち、これにより実際のインテリア画像のロケーションを求める。
【００３３】
サービス提供事業者６は、各々の小売店舗１４の小売店舗別インテリア販売リスト１９を保存するインテリア販売情報ＤＢ８と、利用者１の個人情報と所有するインテリア情報を保存するインテリア個人情報ＤＢ９と、インテリア個人情報ＤＢ９とインテリア販売情報ＤＢ８からメタデータに基づく検索およびＩＤ番号或いはＩＣタグに基づく検索の両方の機能と、インテリア販売情報ＤＢ８から検索したインテリア画像と利用者１の所有するインテリア情報（形状、大きさ、寸法など）から、ＣＡＤソフトによりインテリアコーディネート画像を合成する機能と、インテリアメーカ１２が保持するインテリア情報から、インテリア画像を作成し、メタデータを作成する機能等を持つインテリアソフト１０とを含むサーバシステム７を有しており、且つ、サーバシステム７を利用する利用者１とインテリアメーカ１２と小売店舗１４とインテリアデザイン事業者１６或いはインテリアコーディネータ２３からインテリアサービスの利用料金を徴収し、サービス提供をしている。
【００３４】
インテリアデザイン事業者１６或いはインテリアコーディネータ２３は、サービス提供事業者６に登録し、許可した利用者１のみインテリア個人情報ＤＢ９から閲覧し、利用者１が要求するインテリアレイアウトおよびコーディネートのアイディアを提案し、見積価格を算出してインテリアソフト１０に入力する。
【００３５】
利用者１は、外出先のどこからでもリアルタイムに携帯電話３或いはＰＤＡ４等携帯情報通信端末５或いは情報通信端末２からインテリア個人情報ＤＢ９にアクセスし、利用者１が所有するインテリアの画像情報をインテリア個人情報ＤＢ９から閲覧することが可能である。
【００３６】
インテリアメーカ１２は、インテリア商品情報の販売商品データ２０の内容として、インテリアの商品名（応接セット）と、色（茶）と、仕様（櫻）と、サイズ（※ｃｍ×※ｃｍ）と、価格（１５万円）等のメタデータ（参照情報）を付加する。
【００３７】
利用者１は、インテリアメーカ１２のＤＢ１３或いはサービス提供事業者６のサーバシステム７のインテリア販売情報ＤＢ８からメタデータに基づくキーワードの検索により、キーワードをインテリアソフト１０に入力する。
【００３８】
インテリアソフト１０は、該当するメタデータを検索し、検索結果に基づき１個または複数個のＣＲＩＤを獲得し、ＣＲＩＤから該当するインテリア情報の所在場所を求め、該当インテリア情報と利用者１が所有するインテリア情報とをレイアウトした画像を獲得する。
【００３９】
レイアウト画像を利用者１の携帯情報通信端末５或いは情報通信端末２から受信した利用者１は、外出先等でレイアウトを閲覧し、或いは変更し、インテリアデザイン事業者１６或いはインテリアコーディネータ２３に依頼する。レイアウトの変更とは、検索したインテリア画像の間取り上の配置位置を変更することと、合成するインテリア画像を変更することである。検索したインテリア画像のレイアウトは、レイアウト画像の合成時に間取り上の位置情報（縦横のどこかという座標情報）を入力する。レイアウトを変更したい場合には、各インテリア画像の位置情報を再入力したり、合成対象となるインテリア画像を変更したりすることで再レイアウトを行う。
【００４０】
インテリアデザイン事業者１６或いはインテリアコーディネータ２３は、コーディネートと見積価格を求める。
【００４１】
利用者１は、インテリアコーディネートされた画像とインテリア見積価格をインテリアソフト１０にアクセスして閲覧する。
【００４２】
また、利用者１は、外出先或いは利用者宅で携帯電話３およびＰＤＡ４等携帯情報通信端末５或いは情報通信端末２（これらを総称して「利用者端末」という）からインテリアレイアウト画像や合成されたインテリアコーディネート画像の閲覧をする（以上請求項１）。
【００４３】
次に、本発明に係るインテリアコーディネートサービス方法を、図１〜３を用いて説明する。
【００４４】
本発明に係るインテリアコーディネートサービス方法を実現するシステムは、図１〜３に示すように、ＩＰ網１８、サービス提供事業者６、該サービス提供事業者６のサーバ１１とインテリア販売情報ＤＢ８とインテリア個人情報ＤＢ９とインテリアソフト１０とからなるサーバシステム７、インテリアメーカ１２、インテリアメーカ１２が有するインテリアメーカＤＢ１３、小売店舗１４、小売店舗１４が有する小売店ＤＢ１５、インテリアデザイン事業者１６或いはインテリアコーディネータ２３のＤＢ１７、利用者１の携帯電話３或いはＰＤＡ４等の携帯情報通信端末５や情報通信端末２等の利用者端末を備えている。
【００４５】
本方法において、利用者１は、図１に示すインテリアコーディネートサービスシステムを利用することにより、任意の外出先からリアルタイムに携帯電話３およびＰＤＡ４等携帯情報通信端末５と情報通信端末２からインテリア個人情報ＤＢ９或いはインテリアメーカ１２のＤＢ１３にアクセスし、インテリア情報を閲覧する。
【００４６】
インテリアメーカ１４は、インテリア情報の販売商品データ２０にインテリアの商品名（応接セット）と色（茶）と仕様（櫻）とサイズ（※ｃｍ×※ｃｍ）などのメタデータを付加する。
【００４７】
小売店舗１４は、インテリア商品の販売拡大のためにインテリア商品情報のメタデータ作成と、インテリア販売商品の在庫情報として商品、価格、仕様等のインテリア販売リストデータ１９の作成をしてＤＢ１５に保存し、サービス提供事業者６のサーバシステム７のインテリア販売情報ＤＢ８に送信しメタデータを登録する。
【００４８】
利用者１は、インテリアメーカ１２のＤＢ１３或いはサービス提供事業者６のサーバシステム７のインテリア販売情報ＤＢ８から、商品名（応接セット）、色（茶）、サイズ（※ｃｍ×※ｃｍ）、仕様（櫻）等のメタデータ（参照情報）に基づくキーワードの検索により、キーワードをインテリアソフト１０に入力することにより、該当するメタデータを持つインテリア情報を収集する。
【００４９】
インテリアソフト１０は、該当するメタデータを持つインテリア商品と、利用者１が所有するインテリア情報とレイアウトし、全体画像を利用者端末に提示する。
【００５０】
利用者１は、利用者端末でインテリアレイアウトの画像を閲覧し、インテリアデザイン事業者１６或いはインテリアコーディネータ２３に、インテリアコーディネートと見積価格を依頼する。
【００５１】
該インテリアデザイン事業者１６或いはコーディネータ２３は、提案したインテリアコーディネートおよび見積価格をインテリアソフト１０にアップロードする。
【００５２】
利用者１は、外出先或いは利用者宅で携帯情報通信端末５或いは情報通信端末２からインテリアコーディネートの画像および見積価格を閲覧する（以上請求項８）。
【００５３】
図５は、本コーディネートサービスを利用した場合のプレイヤーの相関であり、各サービスと利用料金の流れを示している。
【００５４】
同図において、利用者１と小売店舗１４とインテリアメーカ１２とインテリアデザイン事業者１６或いはインテリアコーディネータ２３は、サービス提供事業者６にインテリアコーディネートサービスの利用登録をし、毎月或いは定期的に利用したインテリアコーディネートサービス料金を支払いし、銀行或いはクレジット会社等の金融機関から自動的に引き落としされ、サービス提供事業者６はサービス収益を得ることが可能である。また利用者１はインテリアデザイン事業者１６或いはインテリアコーディネータ２３にコーディネート料金の支払いをする。
【００５５】
サービス提供事業者６のサーバシステム７は、サーバ１１とインテリア個人情報ＤＢ９とインテリア販売情報ＤＢ８とインテリアソフト１０との構成になっており、インテリア個人情報ＤＢ９には、複数の利用者１が所有するインテリア商品或いは室内の間取り情報等の画像情報データと、利用者１が選択したインテリアメーカ１２のメタデータ検索の販売商品データ情報２０が保存されている。インテリア個人情報ＤＢ９内は、インテリアソフト５に連動する機能が含まれている。
【００５６】
インテリア販売情報ＤＢ８には、複数の小売店舗１４が販売するインテリア商品の小売店舗別のインテリア販売商品の在庫リスト（小売店舗別インテリア販売リスト）１９が保存されており、且つ、利用者１が選択したインテリア商品のメタデータによる販売商品データ２０がダウンロードされ保存されている。インテリア販売情報ＤＢ８内にはインテリアソフト１０と連動する機能が含まれている。
【００５７】
インテリアソフト１０は、サーバシステムのコンピュータで実行することにより、複数のインテリアレイアウトを行なう機能を有しており、利用者１がインテリア個人情報ＤＢ９と小売店舗１４のＤＢ１５からインテリア画像をメタデータ或いはＩＤ番号或いはＩＣタグを基にキーワード検索する機能と、検索した該当するインテリア画像と利用者１が所有する居間或いは室内のインテリア画像とを内蔵のインテリア３次元ＣＡＤソフトを利用し、居間或いは室内の調度品等のインテリアレイアウトの画像を作成し、内蔵モジュールで見積価格を求める機能と、インテリアレイアウトの全体画像を利用者１の携帯電話３或いはＰＤＡ４等の携帯情報通信端末５或いは情報通信端末２の受信能力に応じて解像度などを最適化して送信する機能と、インテリアメーカ１２が保持するインテリア商品と、外出先で利用者１がデジタル撮影したインテリア画像の特徴を認識し、低レベルなビジュアル記述子を自動で抽出し、メタデータを作成する機能とを実現するプログラムである（以上請求項９）。
【００５８】
利用者１は、携帯電話３或いはＰＤＡ４等の携帯情報通信端末５と情報通信端末２の画像表示能力に応じてインテリア画像の送受信をすることが可能であり、携帯情報通信端末５或いは情報通信端末２を認識し、インテリア画像を変更して送信する機能は、サービス提供事業者６が一つのインテリア画像に対し、複数のサイズや解像度の異なる画像を用意する。
【００５９】
利用者１がアクセス時に、携帯情報通信端末５と情報通信端末２の利用ネットワークや通信端末の種類などから、サービス提供事業者６が用意した複数のサイズや解像度の異なる画像から最適な画像を選択し送信することができる。
【００６０】
インテリアメーカ１２或いは小売店舗１４或いはサービス提供事業者６は、インテリア商品に対して商品名、色、仕様（材質、寸法等）、形状、価格などのメタデータを付加し、インテリアメーカ１２のインテリアメーカＤＢ１３或いは小売店舗１４の小売店ＤＢ１５には美的感覚の室内調度品のインテリア画像とともにそれらのメタデータが保存されている。
【００６１】
利用者１の端末から、外出先から携帯情報通信端末５或いは情報通信端末２で、サーバシステム７のインテリアソフト１０にメタデータ項目のキーワードを入力し、インテリアソフト１０が、入力キーワードに該当するメタデータを持つ室内調度品等のインテリア画像を検索し、インテリア個人情報ＤＢ９から利用者１が所有しているインテリア情報と、３次元ＣＡＤソフトを利用しインテリアレイアウトした全体画像と見積を利用者１に提供し、利用者１の端末においてレイアウトと見積を閲覧する。簡単にレイアウトの変更をすることが可能である。利用者１は、インテリアデザイン事業者１６或いはインテリアコーディネータ２３に依頼し、インテリアコーディネートした全体画像と見積価格を閲覧することが可能である。
【００６２】
本モバイルコーディネートサービスは、メタデータ利用のために、サービス提供事業者６のインテリア個人情報ＤＢ９或いはインテリア販売情報ＤＢ８或いはインテリアメーカ１２のＤＢ１３或いは小売店舗１４のＤＢ１５にメタデータが保存されている。
【００６３】
利用者１はメタデータに基づくキーワード検索により、メタデータをインテリアソフト１０に入力し、インテリアソフト１０が入力キーワードに該当するメタデータを持つインテリア商品を検索し、利用者１の持つインテリアとインテリア３次元ソフトでコーディネートしてインテリアの全体画像を利用者１に提示する。これにより、利用者１は閲覧が可能となる（以上請求項２）。
【００６４】
インテリアメーカ１２のＤＢ１３或いは小売店舗１４のＤＢ１５に登録されていないインテリア商品情報がある場合は、利用者１が外出先で好みの気に入った室内の置物などインテリア商品をデジタルカメラ或いは携帯電話３或いはデジタル映像機器などで撮影をし、撮った該インテリア商品画像を携帯電話３等の携帯情報通信端末９からインテリアメーカ１２のＤＢ１３或いは小売店舗１４のＤＢ１５にアップロードし、該インテリア商品データをＤＢ１３とＤＢ１５に登録することが可能であり、また携帯情報通信端末３或いは情報通信端末２に保存することが可能である（以上請求項３）。
【００６５】
インテリアメーカ１２或いは小売店舗１４は、インテリア商品を製作して販売する時点で値札にＩＤ番号を添付し、インテリアメーカ１２或いは小売店舗１４のＤＢ１３，１５内のインテリア商品には一意に識別するＩＤ番号が振られている。
【００６６】
そこでこれを利用し、利用者１は、外出先で購入したい好みのインテリア商品を見つけ、該インテリア商品の値札に付いているＩＤ番号を携帯情報通信端末５からサービス提供事業者６のインテリアソフト１０にアクセスしてＩＤ番号の入力をする。
【００６７】
インテリアソフト１０は、一元化管理された小売店舗１４と該ＩＤ番号を示すリスト表からＩＤ番号をもとに販売している該小売店舗１４を判別し、該小売店舗１４のＤＢ１５から該当するＩＤ番号がふられたインテリアの商品画像を検索する。
【００６８】
そして、インテリアソフト１０内のインテリアＣＡＤソフトを活用し、インテリア個人情報ＤＢ９内の利用者１が所有するインテリアの画像、レイアウトした画像を利用者端末に提示する。これにより、利用者１は外出先でコーディネートされた全体画像を閲覧することが可能である（以上請求項４）。
【００６９】
また、インテリアメーカ１２或いは小売店舗１４は、インテリア商品を製作して販売する時点でインテリアにＩＣタグを添付し、インテリアメーカ１２或いは小売店舗１４のＤＢ１３，１５内のインテリア商品には一意に識別するＩＣタグが振られている。利用者１の携帯電話３或いはＰＤＡ４等携帯情報通信端末５にはＩＣタグが読みとる手段が付加されている。
【００７０】
利用者１は、外出先でインテリア商品に添付しているＩＣタグを携帯情報通信端末５で読み取りをし、インテリアソフト１０に送信する。
【００７１】
インテリアソフト１０は、該当するＩＣタグが振られたインテリア画像を検索し、利用者１が所有のインテリア画像と該当するインテリア画像とをレイアウトし、利用者１は外出先でレイアウトを閲覧し、また変更することが可能である。
利用者１は、ＩＣタグを利用することで外出先でのインテリア情報収集の利便性向上を図ることができる（以上請求項５）。
【００７２】
利用者１は、サービス提供事業者６に登録している近郊或いは評判の良いインテリアデザイン事業者１６或いはインテリアコーディネータ２４に携帯情報通信端末５或いは情報通信端末２からインテリアコーディネートの依頼をすることができる。
【００７３】
インテリアデザイン事業者１６或いはインテリアコーディネータ２４は、サービス提供事業者６にインテリアコーディネートの登録をする。
【００７４】
インテリアデザイン事業者１６或いはインテリアコーディネータ２４は、利用者１からコーディネート依頼がされた場合に、利用者１が外出先で好みのインテリアを選択し、インテリアソフト１０でインテリアレイアウト画像を決めた該画像を受信し、レイアウトの画像を検討しコーディネートと見積を依頼する場合の方法、および、サーバシステム７のインテリア個人情報ＤＢ９から許可された利用者１のみのインテリア個人情報の閲覧し、室内或いは居間などにマッチングするインテリア商品をインテリア販売情報ＤＢ８或いはインテリアソフト１０から小売店１４或いはインテリアメーカ１２のインテリア商品情報をメタデータで検索し、インテリアレイアウトとコーディネートと見積を依頼する場合の方法とがあり、どちらの方法でも対応ができる。
【００７５】
コーディネート画像とインテリア商品価格とコーディネート料を含んだ見積価格を算出し、利用者１のアドレスとコーディネートした画像と見積価格をインテリアソフト１０にアップロードする。
【００７６】
利用者１は、インテリアソフト１０からダウンロードし、インテリアデザイン事業者１６或いはインテリアコーディネータ２４のコーディネート全体画像と見積価格を閲覧することが可能であり、またコーディネート画像に対して追加質問や要求をして応答することも可能である（以上請求項６）。
【００７７】
小売店舗１４或いはインテリアメーカ１２或いはインテリアデザイン事業者１６或いはインテリアコーディネータ２４は、最新トレンドによる室内或いは居間などの置物、カーテン、照明、テーブル等インテリア情報画像をサービス提供事業者６のインテリア販売情報ＤＢ８にアップロードする。
【００７８】
利用者１は閲覧し、好みの最新トレンドをインテリアソフト１０に入力し、インテリア個人情報ＤＢ９内の利用者１が所有のインテリア情報とインテリアコーディネートされた全体画像のレイアウトを閲覧することが可能である。
【００７９】
利用者１が最新トレンドのインテリアを購入することにより、小売店舗１４或いはインテリアメーカ１２は、インテリア販売促進の増強が図れる。
【００８０】
また、最新トレンド情報を提供することで、利用者１の好みのインテリア情報を入手し、趣味趣向に合わせた広告情報を提供することも可能である（以上請求項７）。
【００８１】
図５に示すように、インテリアコーディネートサービスを利用するプレイヤーの相関は次の如くである。コーディネートサービスするサービス提供事業者１２がサーバシステム７を所有しており、インテリアメーカ１２がインテリア商品のメタデータをサーバシステム７に入力し、小売店舗１４は、販売するインテリア商品販売情報をインテリア販売情報ＤＢ８に提供し、インテリアデザイン事業者１６或いはインテリアコーディネータ２４は、インテリアコーディネートしたアイディアと見積価格を提供し、利用者１は、所有するインテリア商品と外出先などで好みのインテリア商品とのレイアウト画像をインテリアソフト１０から閲覧したり、簡単にインテリアレイアウト変更を可能とするとともに、コーディネート全体画像を閲覧することができる。
【００８２】
このようにして、利用者１は小売店舗１４からインテリア商品を購入し、小売店舗１４はインテリアメーカ１２のインテリア商品の売り上げ増加に貢献することができる。
【００８３】
また、本インテリアコーディネートサービスにおける料金の流れは、図３に示すようになる。すなわち、サービス提供事業者６は、利用者１とインテリアメーカ１２と小売店舗１４とインテリアデザイン事業者１６或いはインテリアコーディネータ２４からサービス利用料金を徴収し、インテリアデザイン事業者１６或いはインテリアコーディネータ２３は利用者１からコーディネート料金を徴収する。
【００８４】
図６は、本発明におけるインテリアコーディネートサービスを説明するためのフローチャート図である。
【００８５】
Ａ）まず、サービス提供事業者６のインテリア個人情報ＤＢ９を作成するフローを説明する。
【００８６】
（ステップａ）：利用者１は、携帯情報通信端末５或いは情報通信端末２でインテリアメーカ１２のインテリアメーカＤＢ１３を検索し、インテリア商品の画像の参照情報（メタデータ）を選択する。
【００８７】
（ステップｂ）：インテリアメーカ１２は、前記選択されたインテリア商品の画像の参照情報をアップロードし、個人情報ＤＢ９に登録する。
【００８８】
（ステップｃ）：利用者１は、インテリアメーカ１２のＤＢ１３或いは小売店舗１４のＤＢ１５に所望のインテリア画像が保存されていない場合、別途携帯電話付属のカメラやデジタルカメラなどでそのインテリア画像を撮影してアップロードする。
【００８９】
図７は、上記インテリア個人情報ＤＢ９の作成手順を説明するための図である。
同図に示すように、まず利用者１は、インテリア個人情報ＤＢ９にユーザ名等のユーザ情報を登録しておく（同図（イ））。次に、携帯通信情報端末等から商品名等のキーワードを入力し（同図（ロ））、インテリアソフト１０の検索エンジンを用いて、インテリアメーカＤＢ１３の検索用画像ＤＢを検索し（同図（ハ））、対応するインテリア商品の画像の参照情報（メタデータ）を抽出して所持品リストを作成し、インテリア個人情報ＤＢ９に格納する（同図（ニ））。
【００９０】
またコーディネートの場合、所持品と間取り等からインテリアレイアウト画像を合成し、インテリアレイアウト画像として格納する（同図（ホ））。
【００９１】
Ｂ）次に、サービス提供事業者６のインテリア販売情報ＤＢ８を作成するフローを説明する。
【００９２】
（ステップｄ）：小売店舗１４は、インテリアメーカ１２のインテリアメーカＤＢ１３から販売するインテリア販売商品の画像の参照情報を選択する。
【００９３】
（ステップｅ）：インテリアメーカ１２は、サービス提供事業者６に、前記選択されたインテリア商品の画像の参照情報をアップロードし、インテリア販売情報ＤＢ８に登録する。
【００９４】
（ステップｆ）：小売店舗１４は、該小売店舗独自の、例えば在庫を持ち販売するインテリア商品の情報をサービス提供事業者６のインテリア販売情報ＤＢ８にアップロードして登録する。
【００９５】
図８は、上記インテリア販売情報ＤＢ８の作成手順を説明するための図である。
同図に示すように、小売店舗１４において、例えば在庫商品のリストアップを行ない（同図（イ））、商品名等のキーワードを入力し（同図（ロ））、インテリアソフト１０の検索エンジンを用いて、インテリアメーカＤＢ１３の検索用画像ＤＢを検索し（同図（ハ））、対応するインテリア商品の画像の参照情報（メタデータ）を抽出して、インテリア販売情報ＤＢ８に小売店商品情報として格納する（同図（ニ））。
【００９６】
Ｃ）次に、利用者１が利用者宅或いは外出先で携帯電話３或いはＰＤＡ４等携帯情報通信端末５と情報通信端末２からインテリア商品を検索するフローを説明する。
【００９７】
Ｃ１）まず、利用者１が利用者宅でインテリアを検索しコーディネートをする場合の検索フローを（利用者宅）の欄に示す。
【００９８】
（ステップｇ）：利用者１は，要求するインテリア商品のメタデータ（参照情報）のキーワードをサーバシステム７のインテリアソフト１０に入力する。
【００９９】
（ステップｈ）：サービス提供事業者６のサーバシステム７は、インテリアソフト１０によるインテリア販売情報ＤＢ８の検索と、インテリア商品の販売価格の算出と、３次元ＣＡＤソフトで該当するインテリアとのレイアウトを行なう。
【０１００】
（ステップｉ）：利用者１は、インテリアレイアウトを閲覧し、サービス提供事業者６に登録しているインテリアデザイン事業者１６或いはインテリアコーディネータ２３にインテリアコーディネートと見積価格を依頼する。
【０１０１】
（ステップｊ）：インテリアデザイン事業者１６或いはインテリアコーディネータ２３は、利用者１のレイアウト画像からコーディネートを提供し、インテリアコーディネートと見積価格を提示し、サービス提供事業者６のインテリアソフト１０にアップロードする。
【０１０２】
（ステップｋ）：サービス提供事業者６は、利用者１の依頼するインテリアのコーディネート画像と見積価格を利用者１の携帯情報通信端末５或いは情報通信端末２にダウンロードする。
【０１０３】
図９は、利用者１が利用者宅でインテリアを検索しコーディネートをする場合のレイアウト画像の処理手順を説明するための図である。
同図に示すように、利用者１は、要求するインテリア商品のメタデータ（参照情報）のキーワード（例えば商品名，カテゴリ，色，サイズ等）をサーバシステム７のインテリアソフト１０に入力する（同図（イ））。
【０１０４】
インテリアソフト１０は、検索エンジンを用いて、上記入力されたキーワードに基づいてインテリア販売情報ＤＢ８を検索し（同図（ロ））、対応するインテリア画像をインテリアメーカＤＢ１３を検索してダウンロードし（同図（ハ））、例えば３次元ＣＡＤソフト等を用いてインテリア個人情報ＤＢ９に格納されているインテリア画像と合成してインテリアレイアウト画像としてインテリア個人情報ＤＢ９に格納し（同図（ニ））、利用者の閲覧に供する（同図（ホ））。
【０１０５】
Ｃ２）次に、利用者１が外出先でインテリア商品を検索し、レイアウトおよびコーディネートをする場合の検索フローを（外出先）の欄に示す。
【０１０６】
（ステップｌ）：利用者１は、小売店舗１４或いはインテリアメーカ１２のインテリア商品の値札に添付しているＩＤ番号或いはＩＣタグをインテリアソフト１０に入力する。
【０１０７】
（ステップｍ）：サービス提供事業者６のサーバシステム７は、インテリアソフト１０によるインテリア販売情報ＤＢ８の検索とインテリアの見積価格の算出と、例えば３次元ＣＡＤソフトにより該当するインテリアとのレイアウト画像を作成する。
【０１０８】
（ステップｎ）：利用者１は、インテリアレイアウトを閲覧し、サービス提供事業者６に登録しているインテリアデザイン事業者１６或いはインテリアコーディネータ２３にインテリアコーディネートと見積価格を依頼する。
【０１０９】
（ステップｏ）：インテリアデザイン事業者１６或いはインテリアコーディネータ２３は、利用者１のレイアウト画像からアイディアを提供し、インテリアコーディネートと見積価格を提示し、サービス提供事業者６のインテリアソフト１０にアップロードする。
【０１１０】
（ステップｐ）：サービス提供事業者６は、利用者１の依頼するインテリアのコーディネート画像を利用者１の携帯情報通信端末５或いは情報通信端末２にダウンロードする。
【０１１１】
図１０は、利用者１が外出先でインテリアを検索しコーディネートをする場合のレイアウト画像の処理手順を説明するための図である。
【０１１２】
同図に示すように、利用者１は、要求するインテリア商品の値札に添付しているＩＤ番号或いはＩＣタグをインテリアソフト１０に入力する（同図（イ））。
【０１１３】
インテリアソフト１０は、検索エンジンを用いて、上記ＩＤ番号或いはＩＣタグに基づいてインテリア販売情報ＤＢ８を検索し（同図（ロ））、対応するインテリア画像をインテリアメーカＤＢ１３を検索してダウンロードし（同図（ハ））、例えば３次元ＣＡＤソフト等を用いてインテリア個人情報ＤＢ９に格納されているインテリア画像と合成してインテリアレイアウト画像としてインテリア個人情報ＤＢ９に格納し（同図（ニ））、利用者の閲覧に供する（同図（ホ））。
【０１１４】
図１１は、インテリアコーディネータ２３を介在した場合の処理手順を説明するための図である。インテリアデザイン事業者１６を介在した場合も同様である。
【０１１５】
同図に示すように、利用者１は、インテリアレイアウトを閲覧し、サービス提供事業者６に登録しているインテリアコーディネータ２３にインテリアコーディネートと見積価格をメール等で依頼する（同図（イ））。
【０１１６】
インテリアコーディネータ２３は、図９および図１０に述べた手順により利用者１にレイアウト画像を提供し（同図（ロ）〜（へ））、その後、インテリアコーディネータ２３は、見積書を作成し、利用者に供する。
【０１１７】
上記実施例では、サービス提供事業者６が所有するインテリア販売情報ＤＢ８やインテリア個人情報ＤＢ９には、インテリアの画像データが直接画像で保存されておらず、インテリア画像そのものはインテリアメーカＤＢ１３に格納されていて、利用者に画像を提供する場合等、要求された場合にのみサーバシステムのインテリア販売情報ＤＢ８やインテリア個人情報ＤＢ９にダウンロードするようにしている。この場合、インテリアメーカ１２のインテリアメーカＤＢ１３等とリンクした参照情報（メタデータ）等によって管理され容量を少なくすることができる。
【０１１８】
しかし、インテリア画像そのものを、インテリアメーカＤＢ１３だけでなくインテリア販売情報ＤＢ８やインテリア個人情報ＤＢ９にも保持するようにしてもよい。この場合は、インテリア販売情報ＤＢ８やインテリア個人情報ＤＢ９の必要容量が増すが、キャッシュ効果により高速化が図れる。
【０１１９】
上記実施例の説明において、単に、小売店舗、インテリアメーカ、インテリアデザイン事業者、インテリアコーディネータ、サーバシステム等と記したものは、実際にはコンピュータを備え、そのコンピュータを用いて処理を行なっていることはいうまでもない。
【０１２０】
また、サーバ装置のコンピュータに実行させるインテリアソフトウェア（インテリアプログラム）は、ＤＶＤ，ＣＤ−ＲＯＭ，ＦＤ等のコンピュータ読取り可能な記録媒体に記録して頒布したり、インターネットを介して利用者にダウンロードさせて普及することができる。
【図面の簡単な説明】
【０１２１】
【図１】インテリアコーディネートサービスシステムを示す図である。
【図２】図１のうち、特にサービス提供事業者６のサーバシステム７を詳細に示す図である。
【図３】インテリアコーディネートサービスシステムにおける各ＤＢ（データベース）に格納される具体的なデータの例を示した図である。
【図４】インテリアメーカが、予めインテリアメーカＤＢにインテリア商品のデータを登録することを説明する図である。
【図５】プレイヤー相関を示す図である。
【図６】インテリアコーディネートサービスのフローチャートを示す図である。
【図７】インテリア個人情報ＤＢの作成手順を説明するための図である。
【図８】インテリア販売情報ＤＢの作成手順を説明するための図である。
【図９】利用者が利用者宅でインテリアを検索しコーディネートをする場合のレイアウト画像の処理手順を説明するための図である。
【図１０】利用者が外出先でインテリアを検索しコーディネートをする場合のレイアウト画像の処理手順を説明するための図である。
【図１１】インテリアコーディネータを介在した場合の処理手順を説明するための図である。
【符号の説明】
【０１２２】
１：利用者
２：利用者の情報通信端末
３：利用者の携帯電話
４：利用者のＰＤＡ
５：利用者の携帯情報通信端末
６：サービス提供事業者
７：サービス提供事業者のサーバシステム
８：サービス提供事業者のインテリア販売情報ＤＢ
９：サービス提供事業者のインテリア個人情報ＤＢ
１０：サービス提供事業者のインテリアソフト
１１：サービス提供事業者のサーバ
１２：インテリアメーカ
１３：インテリアメーカＤＢ
１４：小売店舗
１５：小売店舗ＤＢ
１６：インテリアデザイン事業者
１７：インテリアデザイン事業者或いはインテリアコーディネータのＤＢ
１８：ＩＰ網
１９：インテリア販売情報ＤＢ８内の小売店舗別インテリア販売リスト
２０：インテリアメーカの販売商品データ
２１：インテリア個人情報ＤＢ９内の個人が所有するインテリア情報データ
２２：インテリアソフト１０内に登録されている利用者の居間或いは部屋
２３：インテリアコーディネータ
【図１】
2005202797.tif 000003
【図２】
2005202797.tif 000004
【図３】
2005202797.tif 000005
【図４】
2005202797.tif 000006
【図５】
2005202797.tif 000007
【図６】
2005202797.tif 000008
【図７】
2005202797.tif 000009
【図８】
2005202797.tif 000010
【図９】
2005202797.tif 000011
【図１０】
2005202797.tif 000012
【図１１】
2005202797.tif 000013